(57)【要約】    【課題】  血液を血球と血漿または血清とに分離することができ、分離された血漿または血清を容易にかつ安全に取り出すことができる真空検体採取器具を提供する。    【解決手段】  開口２ａ，３ａを有する有底の第１，第２の管状容器２，３と、第１，第２の管状容器２，３の減圧を維持している第１，第２の栓体４，５とを備え、第１の管状容器２が血液が採取される第１の内部空間Ａ１と、血液から分離された血漿または血清が収容される第２の内部空間Ａ２と、血液を血球と血漿または血清とに分離する血液分離材６とを有し、第２の管状容器３が内部空間Ｂを有し、第２の管状容器３の開口３ａから分離された血漿または血清を取り出し得るように、第１，第２の管状容器２，３が第２の内部空間Ａ２と内部空間Ｂとを接続している流路８ａが設けられている流路形成部材８を有する、真空検体採取器具１。【選択図】      図１
2007000537.tif 000002
【特許請求の範囲】
【請求項１】
血液を血球と血漿または血清とに分離し、該血漿または血清中の成分を検査するのに用いられる真空検体採取器具であって、
一端に開口を有し、他端に底部を有し、開口側が互いに同方向となるように配置された第１，第２の管状容器と、前記第１，第２の管状容器の開口に圧入されおり、前記第１，第２の管状容器内の減圧を維持している第１，第２の栓体とを備え、
前記第１の管状容器が、前記開口側に位置しており、血液が採取される第１の内部空間Ａ１と、前記底部側に位置しており、血液から分離された血漿または血清が収容される第２の内部空間Ａ２と、前記第１，第２の内部空間Ａ１，Ａ２の間に位置しており、血液を血球と血漿または血清とに分離するための血液分離材とを有し、前記第２の管状容器が内部空間Ｂを有し、
前記第２の管状容器の開口から分離された血漿または血清を取り出し得るように、前記第１，第２の管状容器が、前記第２の内部空間Ａ２と前記内部空間Ｂとを接続しており、かつ分離された血漿または血清が移動可能な流路が設けられている流路形成部材を有することを特徴とする、真空検体採取器具。
【請求項２】
前記第１，第２の栓体が一体的に構成されている、請求項１に記載の真空検体採取器具。
【請求項３】
一端に開口を有する有底の第３の管状容器をさらに備え、
前記第３の管状容器内に、前記第１，第２の管状容器が底部側から収容されており、前記第３の管状容器の開口に、一体的に構成された前記第１，第２の栓体が取り付けられている、請求項２に記載の真空検体採取器具。
【請求項４】
血液を血球と血漿または血清とに分離し、該血漿または血清中の成分を検査するのに用いられる真空検体採取器具であって、
一端に第１，第２の開口を有し、他端に底部を有する管状容器と、前記管状容器の第１，第２の開口に圧入されおり、前記管状容器内の減圧を維持している栓体とを備え、
前記管状容器の一端と他端とを結ぶ方向に前記管状容器が内部に仕切り壁を有し、前記仕切り壁により仕切られた一方側に第１の開口が位置しており、前記仕切り壁により仕切られた他方側に第２の開口が位置しており、
前記仕切り壁により仕切られた一方側において、前記管状容器が、前記第１の開口側に位置しており、血液が採取される第１の内部空間Ｃ１と、前記底部側に位置しており、血液から分離された血漿または血清が収容される第２の内部空間Ｃ２と、前記第１，第２の内部空間Ｃ１，Ｃ２の間に位置しており、血液を血球と血漿または血清とに分離するための血液分離材とを有し、前記仕切り壁により仕切られた他方側において、前記管状容器が第３の内部空間Ｃ３を有し、
前記第２の開口から分離された血漿または血清を取り出し得るように、前記仕切り壁が、前記第２の内部空間Ｃ２と前記第３の内部空間Ｃ３とを接続しており、かつ分離された血漿または血清が移動可能な流路を構成する壁穴または切欠部を有することを特徴とする、真空検体採取器具。
【請求項５】
血液を血球と血漿または血清とに分離し、該血漿または血清中の成分を検査するのに用いられる真空検体採取器具であって、
一端に第１の開口を有し、他端に第２の開口を有し、かつ血液を血球と血漿または血清とに分離するための血液分離材を内部に有する筒状部材と、一端に開口を有し、他端に底部を有し、かつ血液から分離された血漿または血清が前記筒状部材の第２の開口から前記底部に収容されるように、前記筒状部材を内部に収容し、かつ固定している管状容器と、前記筒状部材の第１の開口および前記管状容器の開口に圧入されており、前記管状容器内の減圧を維持している栓体とを備え、
前記筒状部材の外側において前記管状容器の開口から、分離された血漿または血清を取り出し得るように、前記筒状部材の外周側面と前記管状容器の内周側面との間隔が隔てられた領域を有することを特徴とする、真空検体採取器具。
【発明の詳細な説明】
【技術分野】
【０００１】
本発明は、血液を血球と血漿または血清とに分離し、血漿または血清中の成分を検査するのに用いられる真空検体採取器具に関し、より詳細には、分離された血漿または血清を容易にかつ安全に取り出すことができる真空検体採取器具に関する。
【背景技術】
【０００２】
従来、血液から血球成分を除去し、臨床検査に必要な血漿または血清を得るために、遠心分離法が用いられてきた。しかし、遠心分離法では、凝固過程や分離後に上澄みの血漿または血清を移しかえる過程などの作業が煩雑であった。また、検査結果を得るまでに時間を要し、さらに大型で高価な遠心分離機が必要であった。
【０００３】
この問題を解決するために、遠心分離機を用いることなく、血液から血球成分を除去し、臨床検査に必要な血漿または血清を得ることを可能とする様々な器具が提案されている。
【０００４】
下記の特許文献１には、採取された血液から血漿もしくは血清を分離し、分離された血漿または血清を取出すことを可能とする血液検査用容器の一例が示されている。図５を参照して、特許文献１に示されている血液検査用容器を説明する。
【０００５】
図５に縦断面図で示すように、血液検査用容器１０１は、外管１０２と、筒状部材１０３と、栓体１０４とを有する気密容器であり、内部が減圧されている。外管１０２内に、筒状部材１０３が挿入されている。外管１０２は、有底の管状容器で構成されており、外管１０２は上端に開口１０２ａを有する。
【０００６】
他方、筒状部材１０３は、上端に開口１０３ａを有する。また、筒状部材１０３の下方部分には、フィルタ１０５が収納されている。フィルタ１０５は、フィルタ部材１０６と、フィルタ部材１０６の下方に配置された血球停止膜１０７とを有する。フィルタ部材１０６は、血球成分よりも血漿または血清を早く移動させるフィルタ材料により構成されている。血球停止膜１０７は、血球を捕捉し、分離された血漿または血清への血球の混入を防止するために設けられている。
【０００７】
筒状部材１０３の下端には、下方に突出された突出部１０３ｂが形成されている。突出部１０３ｂには血漿または血清流路１０８が設けられている。血漿または血清流路１０８は、血球停止膜１０７の下面に対向しており、かつ突出部１０３ｂ内を下方に延びるように設けられている。フィルタ部材１０６により分離された血漿または血清は、血漿または血清流路１０８から下方の血漿または血清収納部１０９に流下される。なお、フィルタ部材１０５の上方の空間は、血液収容部１１０を構成している。
【０００８】
栓体１０４は、把持部１０４ａと、大径部１０４ｂと、小径部１０４ｃとを有する。大径部１０４ｂは、小径部１０４ｃよりも大きな径を有する。小径部１０４ｃが筒状部材１０３の開口１０３ａに圧入されており、大径部１０４ｂが外管１０２の開口１０２ａに圧入されている。
【０００９】
上記血液検査用容器１０１の使用に際しては、栓体１０４に採血針を刺通することにより、内外の圧力差により血液を血液収容部１１０に採取する。採取された血液は、フィルタ１０５によって濾過される。上記のように、フィルタ部材１０６では、血漿または血清が血球成分よりも速やかに下方に移動する。そして、血漿または血清は、血球停止膜１０７を通過し、血漿または血清流路１０８に達する。しかる後、血漿または血清は、血漿または血清収納部１０９に流下する。他方、血球は血球停止膜１０７により捕捉される。血球により血球停止膜１０７が閉塞されると、濾過が停止する。
【００１０】
血漿または血清が分離された後には、外管１０２の開口１０２ａに圧入されている栓体１０４を筒状部材１０３ごと抜去する。このようにして、分離された血漿または血清を取出すことができる。
【特許文献１】特開２００４−３２５４１２号公報
【発明の開示】
【発明が解決しようとする課題】
【００１１】
特許文献１に記載の血液検査用容器１０１では、分離された血漿または血清を取出す際には、外管１０２から筒状部材１０３ごと栓体１０４を抜去しなければならなかった。外管１０２から栓体１０４を筒状部材１０３ごと抜去する際には、筒状部材１０３に振動が加わりがちであった。そのため、血球停止膜１０７に捕捉されている赤血球が破壊されて赤血球内成分が漏洩し、血漿または血清に赤血球内成分が混入しがちであった。加えて、筒状部材１０３に振動が加わると、血漿または血清流路１０８に貯留されている赤血球内成分が、血漿または血清収納部１０９に流下するおそれがあった。
【００１２】
また、血液収容部１１０に血液が残っている場合には、筒状部材１０３を抜去すると、その際の振動等により濾過が再開されて、抜去された筒状部材１０３から血漿や血清が流下することがあった。
【００１３】
さらに、外管１０２から栓体１０４を抜去するには、検査技師などが手作業で抜去する必要があった。外管１０２から栓体１０４を手作業により抜去する場合には、検査技師の手や腕に血漿または血清が流下し、検査技師が血液中の病原体に感染するおそれがあった。
【００１４】
本発明の目的は、上述した従来技術の現状に鑑み、血液を血球と血漿または血清とに分離することができ、分離された血漿または血清を容易にかつ安全に取り出すことができる真空検体採取器具を提供することにある。
【課題を解決するための手段】
【００１５】
第１の発明は、血液を血球と血漿または血清とに分離し、該血漿または血清中の成分を検査するのに用いられる真空検体採取器具であって、一端に開口を有し、他端に底部を有し、開口側が互いに同方向となるように配置された第１，第２の管状容器と、第１，第２の管状容器の開口に圧入されおり、第１，第２の管状容器内の減圧を維持している第１，第２の栓体とを備え、第１の管状容器が、開口側に位置しており、血液が採取される第１の内部空間Ａ１と、底部側に位置しており、血液から分離された血漿または血清が収容される第２の内部空間Ａ２と、第１，第２の内部空間Ａ１，Ａ２の間に位置しており、血液を血球と血漿または血清とに分離するための血液分離材とを有し、第２の管状容器が内部空間Ｂを有し、第２の管状容器の開口から分離された血漿または血清を取り出し得るように、第１，第２の管状容器が、第２の内部空間Ａ２と内部空間Ｂとを接続しており、かつ分離された血漿または血清が移動可能な流路が設けられている流路形成部材を有することを特徴とする。
【００１６】
第１の発明に係る真空検体採取器具のある特定の局面では、第１，第２の栓体は一体的に構成されている。
【００１７】
第１の発明に係る真空検体採取器具の他の特定の局面では、一端に開口を有する有底の第３の管状容器をさらに備え、第３の管状容器内に、第１，第２の管状容器が底部側から収容されており、第３の管状容器の開口に、一体的に構成された第１，第２の栓体が取り付けられている。
【００１８】
第２の発明は、血液を血球と血漿または血清とに分離し、該血漿または血清中の成分を検査するのに用いられる真空検体採取器具であって、一端に第１，第２の開口を有し、他端に底部を有する管状容器と、管状容器の第１，第２の開口に圧入されおり、管状容器内の減圧を維持している栓体とを備え、管状容器の一端と他端とを結ぶ方向に管状容器が内部に仕切り壁を有し、仕切り壁により仕切られた一方側に第１の開口が位置しており、仕切り壁により仕切られた他方側に第２の開口が位置しており、仕切り壁により仕切られた一方側において、管状容器が、第１の開口側に位置しており、血液が採取される第１の内部空間Ｃ１と、底部側に位置しており、血液から分離された血漿または血清が収容される第２の内部空間Ｃ２と、第１，第２の内部空間Ｃ１，Ｃ２の間に位置しており、血液を血球と血漿または血清とに分離するための血液分離材とを有し、仕切り壁により仕切られた他方側において、管状容器が第３の内部空間Ｃ３を有し、第２の開口から分離された血漿または血清を取り出し得るように、仕切り壁が、第２の内部空間Ｃ２と第３の内部空間Ｃ３とを接続しており、かつ分離された血漿または血清が移動可能な流路を構成する壁穴または切欠部を有することを特徴とする。
【００１９】
第３の発明は、血液を血球と血漿または血清とに分離し、該血漿または血清中の成分を検査するのに用いられる真空検体採取器具であって、一端に第１の開口を有し、他端に第２の開口を有し、かつ血液を血球と血漿または血清とに分離するための血液分離材を内部に有する筒状部材と、一端に開口を有し、他端に底部を有し、かつ血液から分離された血漿または血清が筒状部材の第２の開口から底部に収容されるように、筒状部材を内部に収容し、かつ筒状部材を固定している管状容器と、筒状部材の第１の開口および管状容器の開口に圧入されており、管状容器内の減圧を維持している栓体とを備え、筒状部材の外側において管状容器の開口から、分離された血漿または血清を取り出し得るように、筒状部材の外周側面と管状容器の内周側面との間隔が隔てられた領域を有することを特徴とする。
【発明の効果】
【００２０】
第１の発明の真空検体採取器具は、一端に開口を有し、他端に底部を有し、開口側が互いに同方向となるように配置された第１，第２の管状容器と、第１，第２の管状容器の開口に圧入されおり、第１，第２の管状容器内の減圧を維持している第１，第２の栓体とを備えている。
【００２１】
第１の管状容器は、開口側に位置しており、血液が採取される第１の内部空間Ａ１と、底部側に位置しており、血液から分離された血漿または血清が収容される第２の内部空間Ａ２と、第１，第２の内部空間Ａ１，Ａ２の間に位置しており、血液を血球と血漿または血清とに分離するための血液分離材とを有している。第２の管状容器は、内部空間Ｂを有している。
【００２２】
第１の発明では、第２の管状容器の開口から分離された血漿または血清を取り出し得るように、第１，第２の管状容器が、第２の内部空間Ａ２と内部空間Ｂとを接続しており、かつ分離された血漿または血清が移動可能な流路が設けられている流路形成部材を有するため、第２の管状容器の開口から分離された血漿または血清を容易に取り出すことができる。また、第２の栓体に採血針を刺通させたり、第２の栓体を取り外すだけで血漿または血清を取出し得るため操作が簡便であり、また検査技師の手や腕に血漿または血清が付着し、検査技師が血液中の病原体に感染するおそれがない。さらに、第２の管状容器の開口、および第２の栓体には血液が付着し難いため、例えば第２の栓体を取り外しても検査技師の手や腕に血漿または血清が付着することがない。
【００２３】
第１，第２の栓体が一体的に構成されている場合には、第１，第２の管状容器の配置が栓体によっても位置決めされるため、例えば第１，第２の管状容器を接続する流路部分で真空検体採取器具の破損が生じ難い。また、真空検体採取器具を構成する部材の数を減らすことができる。
【００２４】
一端に開口を有する有底の第３の管状容器をさらに備え、第３の管状容器内に、第１，第２の管状容器が底部側から収容されており、第３の管状容器の開口に、一体的に構成された第１，第２の栓体が取り付けられている場合には、第３の管状容器を手指で容易に把持することができる。よって、例えば栓体に採血針などを刺通させる際などにより一層容易に操作することができる。また、第１，第２の管状容器が第３の管状容器に収容されているため、第１，第２の管状容器を接続する流路部分で真空検体採取器具の破損が生じ難い。
【００２５】
第２の発明の真空検体採取器具は、一端に第１，第２の開口を有し、他端に底部を有する管状容器と、管状容器の第１，第２の開口に圧入されおり、管状容器内の減圧を維持している栓体とを備えている。そして、管状容器の一端と他端とを結ぶ方向に管状容器が内部に仕切り壁を有し、仕切り壁により仕切られた一方側に第１の開口が位置しており、仕切り壁により仕切られた他方側に第２の開口が位置している。
【００２６】
仕切り壁により仕切られた一方側において、管状容器は、第１の開口側に位置しており、血液が採取される第１の内部空間Ｃ１と、底部側に位置しており、血液から分離された血漿または血清が収容される第２の内部空間Ｃ２と、第１，第２の内部空間Ｃ１，Ｃ２の間に位置しており、血液を血球と血漿または血清とに分離するための血液分離材とを有している。仕切り壁により仕切られた他方側において、管状容器は、第３の内部空間Ｃ３を有している。
【００２７】
第２の発明では、第２の開口から分離された血漿または血清を取り出し得るように、仕切り壁が、第２の内部空間Ｃ２と第３の内部空間Ｃ３とを接続しており、かつ分離された血漿または血清が移動可能な流路を構成する壁穴または切欠部を有するため、第２の開口から分離された血漿または血清を容易に取り出すことができる。また、例えば栓体に採血針を刺通させるだけで血漿または血清を取出し得るため操作が簡便であり、検査技師の手や腕に血漿または血清が付着し、検査技師が血液中の病原体に感染するおそれがない。
【００２８】
第３の発明の真空検体採取器具は、一端に第１の開口を有し、他端に第２の開口を有し、かつ血液を血球と血漿または血清とに分離するための血液分離材を内部に有する筒状部材と、一端に開口を有し、他端に底部を有し、かつ血液から分離された血漿または血清が筒状部材の第２の開口から底部に収容されるように、筒状部材を内部に収容し、かつ筒状部材を固定している管状容器と、筒状部材の第１の開口および管状容器の開口に圧入されており、管状容器内の減圧を維持している栓体とを備えている。
【００２９】
第３の発明では、筒状部材の外側において管状容器の開口から、分離された血漿または血清を取り出し得るように、筒状部材の外周側面と管状容器の内周側面との間隔が隔てられた領域を有するため、筒状部材の外側において管状容器の開口から分離された血漿または血清を容易に取り出すことができる。また、例えば筒状部材の外側の管状容器の開口に対応する部分において、栓体に採血針を刺通させるだけで血漿または血清を取出し得るため操作が簡便である。さらに、筒状部材を取り外す必要がないため、検査技師の手や腕に血漿または血清が付着し、検査技師が血液中の病原体に感染するおそれがない。
【発明を実施するための最良の形態】
【００３０】
以下、本発明の具体的な実施形態を図面を参照しつつ説明することにより、本発明を明らかにする。
【００３１】
図１（ａ），（ｂ）を用いて、第１の発明の一実施形態に係る真空検体採取器具を説明する。図（ａ），（ｂ）は、第１の実施形態に係る真空検体採取器具を示す斜視図および正面断面図である。
【００３２】
図１（ａ），（ｂ）に示すように、真空検体採取器具１は、円形の第１，第２の管状容器２，３を有する。第１，第２の管状容器２，３は一端に開口２ａ，３ａを有し、一端とは反対側の他端に底部２ｂ，３ｂを有する。第１，第２の管状容器２，３は、円形の形状に限られず、例えば角形の形状などであってもよい。
【００３３】
管状容器の材質としては、特に限定されず、例えば射出成形が可能な合成樹脂等からなる。管状容器の材質としては、例えば、ガラスや、アクリロニトリル／ブタジエン／スチレン（ＡＢＳ）、ポリエチレンテレフタレート（ＰＥＴ）、ポリカーボネート、ポリスチレン、ポリプロピレン（ＰＰ）、ポリエチレン（ＰＥ）、ナイロン、またはアクリル等からなる樹脂が挙げられる。
【００３４】
第１，第２の管状容器２，３の開口２ａ，３ａには、内部を気密封止するように第１，第２の栓体４，５がそれぞれ圧入されている。第１，第２の栓体４，５は、中空針若しくはシリンジ等により刺通可能な材料により構成されている。第１，第２の栓体４，５は、大径部４ａ，５ａと、大径部４ａ，５ａよりも径が小さな径を小径部４ｂ，５ｂとを有する。小径部４ｂ，５ｂが開口２ａ，３ａに圧入されており、第１，第２の栓体４，５により開口２ａ，３ａが気密封止されている。使用前は、真空検体採取器具１内は減圧されている。真空検体採取器具１内が減圧されているのは、後述するように、血液を真空吸引し、かつ濾過するためである。
【００３５】
真空検体採取器具内の減圧度は、特に限定されないが、２〜９０ｋＰａの範囲が好ましく、２０〜６０ｋＰａの範囲がより好ましい。減圧度が低すぎると、血液が速やかに分離しないことがあり、減圧度が高すぎると、赤血球に圧力が加わり溶血を引き起こすおそれがある。
【００３６】
栓体は気密性を有する材料により構成されていれば、特に限定されない。栓体は、例えばゴム弾性材料により構成される。このようなゴム弾性材料としては、天然ゴム、ブチルゴム、熱可塑性エラストマー等を挙げられる。栓体は、中空針若しくはシリンジ等により刺通可能な材料により構成されていることが好ましい。
【００３７】
真空検体採取器具１では、上述した第１，第２の管状容器２，３が開口２ａ，３ａ側が互いに同方向となるように配置されている。より具体的には、真空検体採取器具１では、開口２ａ，３ａと底部２ｂ，３ｂとが同じ高さ位置で隣り合うように、第１，第２の管状容器２，３が配置されている。よって、第１，第２の栓体４，５が隣り合うように、第１，第２の管状容器２，３が配置されている。なお、第１，第２の管状容器２，３は、開口２ａ，３ａの高さ位置が異ならされていてもよい。
【００３８】
第１の管状容器２は、開口２ａ側に血液が採取される第１の内部空間Ａ１と、底部２ｂ側に血液から分離された血漿または血清が収容される第２の内部空間Ａ２とを有する。第２の管状容器３は、内部空間Ｂを有する。
【００３９】
第１の管状容器２は、第１，第２の内部空間Ａ１，Ａ２の間に位置しており、血液を血球と血漿または血清とに分離するための血液分離材６を有する。血液分離材６の外周側面は、第１の管状容器２の内周側面と当接されている。
【００４０】
血液分離材６は、血球よりも血漿または血清を速く移動させる性質を有する。
【００４１】
血液分離材としては、例えば、極細繊維の集積体、連続した気泡を有する発泡体または焼結体、中空糸膜、多孔質膜、多孔性粒子、複数溝および／または孔を有するフィルムなどがあげられるが、実質的に血液を血球と血漿または血清に分離できるものであれば、上記の例示に限定されるものではではない。また、血球成分をフィルタの内部で捕捉することで分離しても良いし、血球成分と血漿または血清成分の移動速度差によって分離してもよい。
【００４２】
また血液分離材は非対称フィルタと対称フィルタに分けることができる。非対称フィルタとはここでは血液の流入側から流出側にかけて孔径が小さくなるような構造を有するフィルタを総称する。それ以外の血液分離材を対称フィルタと総称する。
【００４３】
これらの血液分離材のうち対称フィルタとしては、平均孔径は１μｍ以上、１０μｍ以下の範囲であることが好ましい。さらに好ましくは２μｍ以上、８μｍ以下の範囲である。平均孔径が１μｍより小さいと赤血球が溶血することがあり、１０μｍより大きくなると血球と血漿もしくは血清との分離が著しく悪くなってしまうからである。
【００４４】
また、血液分離材のうち非対称フィルタとしては平均孔径が０．０１μｍ以上、１０μｍ以下の範囲であることが好ましい。さらに好ましくは０．１μｍ以上、６μｍ以下である。平均孔径が０．０１μｍより小さいと血球成分が目詰まりを起こし分離できなくなる、または溶血することがあり、平均孔径が１０μｍより大きくなると血球と血漿もしくは血清との分離が著しく悪くなってしまうからである。
【００４５】
血液分離材が極細繊維の集積体からなる場合には平均繊維径が０．５〜３．０μｍの範囲にある繊維体が集積されて形成されていることが好ましい。平均繊維径が０．５μｍより小さいと、血液を分離する際に溶血を起こし易くなる。平均繊維径が３．０μｍより大きいと、血球と血漿または血清とを分離するために、血液分離材を高密度に形成する必要があり、また使用する繊維の量も多くなりコストが高くなる。血液の分離効果をより一層高めるためには、平均繊維径は、０．５〜２．５μｍの範囲にあることがより好ましい。
【００４６】
容器本体内に設置されたときの血液分離材の平均密度は、０．１〜０．５ｇ／ｃｍ3の範囲であることが好ましい。平均密度が０．１ｇ／ｃｍ3より低い場合には、血液の分離が効果的に行えないことがあり、得られる血漿若しくは血清の量が少なくなることがある。平均密度が、０．５ｇ／ｃｍ3より高い場合には、赤血球への負荷が大きくなり、溶血を起こし易くなる。血液をより一層効率的に分離するためには、平均密度は０．１５〜０．４０ｇ／ｃｍ3の範囲にあることが好ましい。
【００４７】
なお血液分離材として前記対称フィルタ、非対称フィルタを組み合わせて使用することも可能である。
【００４８】
血液分離材を構成する材料としては、特に限定されず、例えばポリエチレン、ポリプロピレン、ポリエチレンテレフタレート、ポリブチレンテレフタレート、ポリスチレン、ポリ酢酸ビニル、ウレタン、アクリル、レーヨン、ガラス等が挙げられる。
【００４９】
血液分離材は、血液中の成分を吸着する性質を有していてもよい。この場合には、血液中の成分の吸着を抑制または制御するために血液分離材に表面処理が施されていてもよい。表面処理剤としては、特に限定されないが、ポリエーテル系、シリコン系等の潤滑剤、ポリビニルアルコールまたはポリビニルピロリドン等の親水性高分子類、さらには天然の親水性高分子類、高分子界面活性剤等が挙げられる。また、血液分離材の表面は、酸化剤による化学処理、プラズマ処理などにより親水化処理が施されていてもよい。
【００５０】
第１の管状容器２は、血液分離材６と第２の内部空間Ａ２との間に、分離された血球の通過を防止する血球停止膜７を有する。血球停止膜７の上面は、血液分離材６の下面と当接されている。血球停止膜７は、血球は通過しないが、血漿または血清は通過し得るように多数の孔７ａが形成された膜からなる。もっとも血球停止膜は膜以外のフィルタ部材であってもよい。
【００５１】
血球停止膜７に形成された孔７ａとしては、血漿または血清の通過が可能であり、かつ赤血球の通過を防止できる範囲の孔径を有するものであれば、特に限定されない。赤血球の通過を防止するためには、孔径は１μｍ以下であることが好ましい。孔径が小さいと、血液中のタンパク成分などにより目詰まりを起こす可能性があるため、孔径は０．０１μｍ以上であることが好ましい。赤血球の通過を効果的に防止するためには、孔径は０．０５〜１．０μｍの範囲にあることがより好ましい。
【００５２】
血球停止膜を構成する材料としては、特に限定されず、例えば、ポリビニリデンジフルオライド、ポリテトラフルオロエチレン、酢酸セルロース、ニトロセルロース、ポリカーボネート、ポリエチレンテレフタレート、ポリエチレン、ポリプロピレン、ガラスファイバー、ボロシリケート、塩化ビニルまたは銀等を挙げることができる。
【００５３】
濾過の流速を高めるために、血球停止膜の表面は親水処理されていてもよい。親水処理の方法としては、プラズマ処理、親水性高分子によるコーティング等が挙げられるが、これらの方法に限定されず、他の方法を用いてもよい。
【００５４】
上記のように、第１，第２の管状容器２，３は、開口２ａ，３ａ側が互いに同方向となるように、第１，第２の栓体４，５が隣り合うように配置されている。本実施形態の特徴は、第１，第２の管状容器２，３が第２の内部空間Ａ２と内部空間Ｂとを接続しており、かつ分離された血漿または血清が移動可能な流路８ａが設けられた流路形成部材８を有することにある。
【００５５】
流路形成部材８は円筒状の形状を有し、底部２ｂ，３ｂよりもわずかに上方に位置している。もっとも、流路形成部材８は底部に位置していても良い。本実施形態では、流路形成部材８は第１，第２の管状容器２，３と一体的に構成されているが、異なる部材を用いて構成されていてもよい。第２の内部空間Ａ２と内部空間Ｂとを接続しており、かつ分離された血漿または血清が移動可能な流路が形成されれば、流路形成部材の形状は特に限定されず、例えば角筒状であってもよい。
【００５６】
本実施形態では、第１，第２の管状容器２，３は流路形成部材８により接続されている。流路形成部材８部分が破損するのを防止するために、流路形成部材８の上方において、第１の管状容器２の外周側面と第２の管状容器３の外周側面とが板状の補強部材９により接続されている。
【００５７】
上述した真空検体採取器具１の使用方法を、図１（ａ），（ｂ）を参照して説明する。
【００５８】
例えば、中空針の一端を血管に挿入し、これと同時に他端を栓体４に刺通し、血液を第１の管状容器２の第１の内部空間Ａ１に流入させる。真空検体採取器具１内は減圧されているため、中空針から血液が第１の内部空間Ａ１に速やかに流入する。なお、血液が予め採取された採血針若しくはシリンジを用いて、第１の内部空間Ａ１に血液が流入されてもよい。
【００５９】
第１の内部空間Ａ１に流入された血液は、血液分離材６の上面に達する。血液分離材６では、血液が通過するときに血球よりも血漿または血清が速く移動する。相対的に速く移動した血漿または血清は血球停止膜７の孔７ａを通過し、第２の内部空間Ａ２に流下する。血漿または血清よりも低速で移動した血球は、血球停止膜７に達しても、血球停止膜７を通過しない。従って、第２の内部空間Ａ２に収容された血漿または血清に血球は混入しない。従って、得られた血漿または血清を検査すると、信頼性の高い検査結果を得ることができる。
【００６０】
第２の内部空間Ａ２に収容された血漿または血清は、流路８ａを経由して、第２の管状容器の内部空間Ｂに移動可能である。よって、例えば栓体５に中空針若しくはシリンジ等を刺通させて、内部空間Ｂに移動した血漿または血清を、第２の管状容器３の開口３ａから取り出すことができる。すなわち、第１の管状容器２の第１の内部空間Ａ１に血液が流入された後に真空検体採取器具１を静置し、さらに、血液の分離が終了した後に血漿または血清を容易に取り出すことができる。なお、栓体５を取り外してスポイト等を用いて血漿または血清を取り出すこともできる。
【００６１】
本実施形態では、上述した図５に示す血液検査用容器１０１のように、外管１０２から筒状部材１０３ごと栓体１０４を抜去するような手間を要しない。さらに、外管１０２から栓体１０４を手作業により抜去することがないため、検査技師の手や腕に血漿または血清が流下し、検査技師が血液中の病原体に感染するおそれがない。また、第２の管状容器３の開口３ａ、および栓体５には血液が付着し難いため、例えば栓体５を取り外しても検査技師の手や腕に血漿または血清が付着することがない。
【００６２】
図２（ａ），（ｂ）に、第１の発明の他の実施形態に係る真空検体採取器具を斜視図および正面断面図で示す。
【００６３】
図２（ａ），（ｂ）に示すように、真空検体採取器具２１は、円形の第１，第２の管状容器２２，２３を有する。第１，第２の管状容器２２，２３は一端に開口２２ａ，２３ａを有し、他端に丸底２２ｂ，２３ｂを有する。開口２２ａ，２３ａ側が互いに同方向となるように、開口２２ａ，２３ａと底部２２ｂ，２３ｂとが同じ高さ位置で隣り合うように、第１，第２の管状容器２２，２３が配置されている。
【００６４】
第１の管状容器２２は、開口２２ａ側に血液が採取される第１の内部空間Ａ１と、底部２２ｂ側に血液から分離された血漿または血清が収容される第２の内部空間Ａ２とを有する。第２の管状容器２３は、内部空間Ｂを有する。
【００６５】
第１の管状容器２２は、第１，第２の内部空間Ａ１，Ａ２の間に位置しており、血液を血球と血漿または血清とに分離するための血液分離材２４を有する。血液分離材２４の外周側面は、第１の管状容器２２の内周側面と当接されている。
【００６６】
第１の管状容器２２は、血液分離材２４と第２の内部空間Ａ２との間に、円形の平面形状の流路閉塞部材２５を有する。流路閉塞部材２５の上面は、血液分離材２４の下面と当接されている。流路閉塞部材２５は複数の孔２５ａを有する。流路閉塞部材２５は、水分等の液状成分に接触すると膨潤する材料で構成されている。
【００６７】
流路閉塞部材２５は、血漿または血清に接触されることにより、次第に膨潤し、収容されるべき血漿または血清が通過した後に流路を閉塞する。より具体的には、血液分離材２４において相対的に速く移動した血漿または血清が、流路閉塞部材２５が配置されている流路部分を通過した後、流路閉塞部材２５が膨潤する。すなわち、流路閉塞部材２５の孔２５ａが塞がるように膨張し、流路が閉塞される。
【００６８】
真空検体採取器具２１では、第２の内部空間Ａ２に血漿または血清収容された後、長時間放置された場合でも、流路が閉塞されるため、溶血により生じた赤血球内成分は下方に滴下しない。また、流路が閉塞されると、流路閉塞部材２５の下方において、圧力差を駆動力とした血液成分の移動も停止される。よって赤血球内成分は、血漿または血清に混入しない。従って、得られた血漿または血清を検査すると、信頼性の高い検査結果を得ることができる。
【００６９】
流路閉塞部材を構成する材料としては、例えば、分子骨格に親水性の官能基を有し、自重に対し同量以上の水を吸収できる性質を有する樹脂が挙げられる。流路閉塞部材を構成する材料の具体例としては、ポリアクリル酸アルカリ金属塩系樹脂またはその共重合体およびそれらの架橋体、ポリアクリルアミド系樹脂またはその共重合体およびそれらの架橋体、ポリＮ−ビニルアセトアミド系樹脂またはその共重合体およびそれらの架橋体、シリコン系樹脂またはその共重合体およびそれらの架橋体、ポリビニルエーテル系樹脂およびその共重合体およびそれら架橋体、ポリアルキレンオキサイド系樹脂またはその共重合体およびそれらの架橋体、ポリビニルアルコール、ポリビニルピロリドンまたはその共重合体およびそれらの架橋体等が挙げられる。
【００７０】
流路閉塞部材としては、粉末状、粒状としたものを用いてもよく、フィルムやシート状に成形したものを用いてもよく、ペースト状、スラリー状または溶液等にして添加し乾燥させるなどしてもよい。
【００７１】
流路閉塞部材は、血漿または血清に接触されることでそれ自身が膨潤し、流路を閉塞させる。そのため、流路閉塞部材の必要量は、閉塞させる流路体積、流路閉塞部材の膨潤率及び膨潤速度によって異なる。よって、閉塞させる流路体積、流路閉塞部材の膨潤率及び膨潤速度から、流路閉塞部材の最適な量が計算される。
【００７２】
閉塞させる流路体積は、血液中の水分が吸収されかつ検体の回収量が低下しない範囲で設定される。流路体積が大きくなると、閉塞させるための流路閉塞部材の量も多くなるため、検体の回収量が低下するおそれがある。
【００７３】
従って、閉塞させる流路体積は、０．００５〜１．０ｃｍ3の範囲にあることが好ましい。また、流路閉塞部材の体積は閉塞させる流路体積に対し、５〜９５％の範囲にあることが好ましい。流路閉塞部材の体積が閉塞させる流路体積に対し５％より小さいと、流路を閉塞するまでの時間が長くなるため、溶血により赤血球から漏洩してきた成分が、分離した血漿もしくは血清に混入するおそれがある。流路閉塞部材の体積が閉塞させる流路体積に対し９５％より大きいと、血漿または血清がすべて回収される前に流路が閉塞されてしまうことがあり、血漿または血清の回収効率が低下するおそれがある。
【００７４】
第１の管状容器２２は、血液分離材２４と第２の内部空間Ａ２との間に、かつ流路閉塞部材２５の下流に血球停止膜２６を有する。血球停止膜２６の上面は、流路閉塞部材２６の下面と当接されている。血球停止膜２６は、血球は通過しないが、血漿または血清は通過し得るように多数の孔２６ａが形成された膜からなる。血球停止膜２６は、血液分離材２４と、流路閉塞部材２５との間に配置されていてもよい。
【００７５】
第１，第２の管状容器２２，２３は、丸底２２ｂ，２３ｂよりもわずかに上方において、第１，第２の管状容器２２，２３が第２の内部空間Ａ２と内部空間Ｂとを接続しており、かつ分離された血漿または血清が移動可能な流路２７ａが設けられた流路形成部材２７を有する。
【００７６】
本実施形態では、真空検体採取器具２１は、一端に開口２８ａを有し、一端とは反対側の他端に丸底２８ｂを有する第３の管状容器を備えている。第３の管状容器２８は、流路形成部材２７により接続された第１，第２の管状容器２２，２３を収容し得る径を有する。
【００７７】
図２（ａ），（ｂ）に示すように、真空検体採取器具２１では、第３の管状容器２８内に、第１，第２の管状容器２２，２３が底部２２ｂ，２３ｂ側から収容されている。そして、第１，第２の管状容器２２，２３の開口２２ａ，２３ａおよび第３の管状容器２８の開口２８ａに栓体２９が圧入されている。使用前は、第１，第２の管状容器２２，２３内は減圧されている。
【００７８】
栓体２９は、大径部２９ａと、大径部２９ａよりも径が小さな径を小径部２９ｂとを有する。栓体２９では、開口２２ａ，２３ａに対応する位置において、開口２２ａ，２３ａの内周径とほぼ等しい外周径を有する円柱形状の凸部２９ｃ，２９ｄが、小径部２９ｂの下面から突出している。
【００７９】
真空検体採取器具２１では、凸部２９ｃ，２９ｄが開口２２ａ，２３ａにそれぞれ圧入されており、小径部２９ｂが開口２８ａに圧入されている。このように、第１，第２の管状容器２２，２３の開口２２ａ，２３ａに圧入される栓体は、一体的に構成されていてもよい。
【００８０】
第１，第２の管状容器２２，２３の開口２２ａ，２３ａに対応する領域を除いて、栓体２９の上表面２９ｅが、中空針若しくはシリンジ等により刺通し得ないカバー３０により覆われている。すなわち、栓体２９の凸部２９ｃ，２９ｄおよび凸部２９ｃ，２９ｄの上方部分が、中空針若しくはシリンジ等により刺通可能とされている。
【００８１】
栓体２９の上表面２９ｅがカバー３０により覆われているのは、第１，第２の管状容器２２，２３の外部に誤って針が刺通されて、第３の管状容器２８の底部２８ｂに血液が流入されることを防ぐためである。なお、栓体２９が、中空針若しくはシリンジ等により刺通可能な材料により構成された部分と、刺通し得ない材料により構成された部分とを有していてもよい。すなわち、栓体２９の凸部２９ｃ，２９ｄおよび凸部２９ｃ，２９ｄの上方部分のみが、中空針若しくはシリンジ等により刺通可能な材料により構成されていてもよい。
【００８２】
本実施形態では、第２の内部空間Ａ２に収容された血漿または血清は、流路２７ａを経由して、第２の管状容器の内部空間Ｂに移動可能である。よって、例えば栓体２８に中空針若しくはシリンジ等を刺通させて、第２の管状容器２３の開口２３ａから血漿または血清を取り出すことができる。また、第１，第２の管状容器２２，２３は、第３の管状容器２８内に収容されているため、例えば真空検体採取器具２１が流路形成部材２７部分で破損することがなく、さらに真空検体採取器具２１を手指で容易に把持することもできる。
【００８３】
図３（ａ），（ｂ）に、第２の発明の一実施形態に係る真空検体採取器具を斜視図および正面断面図で示す。
【００８４】
図３（ａ），（ｂ）に示すように、真空検体採取器具４１は、一端に第１，第２の開口４２ａ，４２ｂを有し、一端とは反対側の他端に丸底４２ｃを有する円形の管状容器４２を有する。管状容器４２は、開口４２ａ，４２ｂ側と丸底４２ｃ側とを結ぶ方向に、管状容器４２の内部空間が仕切り壁４３により仕切られている。すなわち、第１，第２の開口４２ａ，４２ｂの間に、管状容器４２は仕切り壁４３を有する。
【００８５】
管状容器２，３の第１，第２の開口４２ａ，４２ｂには、内部を気密封止するように栓体４４が圧入されている。栓体４４は、中空針若しくはシリンジ等により刺通可能な材料により構成されている。栓体４４は円錐台形状の本体部４４ａを有する。第１，第２の開口４２ａ，４２ｂに対応する位置において、第１，第２の開口４２ａ，４２ａとほぼ同じ半円形状を有する凸部４４ｂ，４４ｃが、本体部４４ａの下面から突出している。そして、真空検体採取器具４１では、凸部４４ｂ，４４ｃが第１，第２の開口４２ａ，４２ｂにそれぞれ圧入されている。
【００８６】
第１の開口４２ａに対応する位置を除いて、栓体４４の上表面４４ｃが、中空針若しくはシリンジ等により刺通し得ないカバー４５により覆われている。カバー４５は、栓体４４の上表面４４ｃに脱着可能に取り付けられている。採血針若しくはシリンジ等を第１の開口４２ａ側に刺通させるために、カバー４５が設けられている。血漿または血清が分離された後、血漿または血清を第２の開口４２ｂ側から取り出す際には、カバー４５を取り外すことで、第２の開口４２ｂ側に採血針若しくはシリンジ等を刺通させることができる。
【００８７】
仕切り壁４３により仕切られた一方側において、管状容器４２は、第１の開口４２ａ側に位置しており、血液が採取される第１の内部空間Ｃ１と、丸底４２ｃ側に位置しており、血液から分離された血漿または血清が収容される第２の内部空間Ｃ２とを有する。仕切り壁４３により仕切られた他方側に、管状容器は第３の内部空間Ｃ３を有する。
【００８８】
管状容器４２は、第１，第２の内部空間Ｃ１，Ｃ２の間に位置しており、血液を血球と血漿または血清とに分離するための血液分離材４６を有する。血液分離材４６の外周側面は、仕切り壁４３により仕切られた一方側の管状容器４２の内周側面と当接されている。血液分離材４６は、上述した血液分離材６と形状が異なること以外は同様に構成されている。
【００８９】
管状容器４２は、血液分離材４６と第２の内部空間Ｃ２との間に、複数の孔４７ａが形成された円形の平面形状の流路閉塞部材４７を有する。流路閉塞部材４７の上面は、血液分離材４６の下面と当接されている。流路閉塞部材４７は、上述した流路閉塞部材２５と形状が異なること以外は同様に構成されている。
【００９０】
管状容器４２は、血液分離材４６と第２の内部空間Ｃ２との間に、かつ流路閉塞部材４７の下流に多数の孔４８ａが形成された血球停止膜４８を有する。血球停止膜４８の上面は、流路閉塞部材４７の下面と当接されている。血球停止膜４８は、上述した血球停止膜７と形状が異なること以外は同様に構成されている。血球停止膜４８は、血液分離膜４６と流路閉塞部材４７との間に配置されていてもよい。
【００９１】
管状容器４２では、丸底４２ｃよりもわずかに上方において、仕切り壁４３に円形の壁穴４９が空けられて流路４９ａが形成されている。そして、管状容器の仕切り壁４３により仕切られた一方側と他方側とが、流路４９ａにより接続されている。より具体的には、壁穴４９は、第２の内部空間Ｃ２と第３の内部空間Ｃ３とを接続しており、血液分離材４６により分離された血漿または血清が移動可能な流路４９ａを構成している。
【００９２】
仕切り壁の壁穴の形状は、第２の内部空間Ｃ２と前記第３の内部空間Ｃ３とを接続しており、かつ分離された血漿または血清が移動可能な流路を構成できれば特に限定されない。また、仕切り壁は、壁穴に替えて、第２の内部空間Ｃ２と前記第３の内部空間Ｃ３とを接続しており、かつ分離された血漿または血清が移動可能な流路を構成する切欠部を有していてもよい。例えば、仕切り壁４３の下端４９ａは管状容器４２の底部４２ｃに至っているが、仕切り壁の下端が底部４２ｃに至らないように、仕切り壁の下端に切欠部が形成されていてもよい。
【００９３】
本実施形態では、第２の内部空間Ｃ２に収容された血漿または血清は、流路４９ａを経由して、第２の開口４２ｂ側に位置する内部空間Ｃ３に移動可能である。よって、例えば栓体４４に中空針若しくはシリンジ等を刺通させて、管状容器４２の第２の開口４２ａから血漿または血清を取り出すことができる。また、真空検体採取器具４１では、上述した真空検体採取器具１のように流路８ａ部分で破損することがなく、さらに真空検体採取器具４１を手指で容易に把持することもできる。
【００９４】
図４（ａ），（ｂ）に、第３の発明の一実施形態に係る真空検体採取器具を斜視図および正面断面図で示す。
【００９５】
図４（ａ），（ｂ）に示すように、真空検体採取器具６１は、一端に開口６２ａを有し、一端とは反対側の他端に丸底６２ｂを有する円形の管状容器６２を有する。
【００９６】
管状容器６２内には、円形の筒状部材６３が収容されている。筒状部材６３は、両端に第１，第２の開口６３ａ，６３ｂを有する。真空検体採取器具６１では、筒状部材６３が管状容器６２内に収容され、かつ筒状部材６３が管状容器６２内に固定されている。本実施形態では、筒状部材６３と管状容器６２とが一体的に構成されている。なお、筒状部材が管状容器と別部材により構成されて、筒状部材の外周面が管状容器の内周面に接合されていてもよい。すなわち、本発明では、筒状部材が管状容器に着脱不可能に取付けられていればよく、筒状部材と管状容器とが別部材により構成されていてもよい。
【００９７】
血液から分離された血漿または血清が筒状部材６３の第２の開口６２ｂから底部６２ｂに収容されるように、第２の開口６３ｂが底部６２ｂと一定間隔を隔てられている。
【００９８】
管状容器６２の開口６２ａと、筒状部材６３の第１の開口６３ａには、内部を気密封止するように栓体６４が圧入されている。栓体６４は、中空針若しくはシリンジ等により刺通可能な材料により構成されている。
【００９９】
栓体６４は、大径部６４ａと、大径部６４ａよりも径が小さな径を小径部６４ｂとを有する。栓体６４では、筒状部材６３の第１の開口６３ａに対応する位置において、第１の開口６３ａの内周径とほぼ等しい外周径を有する円柱形状の凸部６４ｃが、小径部６４ｂの下面から突出している。第１の開口６３ａに対応する位置、すなわち凸部６４ｃの上方部分において、栓体６４は上表面に凹部６４ｄを有する。凹部６４ｄは、採血針若しくはシリンジ等を栓体６４に刺通させるのを容易にするために設けられている。
【０１００】
真空検体採取器具６１では、凸部６４ｃが筒状部材６３の第１の開口６３ａに圧入されており、小径部６４ｂが管状容器６２の開口６２ａに圧入されている。
【０１０１】
栓体６４の凹部６４ｄを除いて、栓体６４の上表面が、中空針若しくはシリンジ等により刺通し得ないカバー６５により覆われている。カバー６５は、栓体６４の上表面に脱着可能に取り付けられている。採血針若しくはシリンジ等を筒状部材６３の第１の開口６３ａに刺通させるために、カバー６５が設けられている。血漿または血清が分離された後、筒状部材６３の外側において、管状容器６２の開口６２ａから底部６２ｂに収容された血漿または血清を取り出す際には、カバー６５を取り外すことで、筒状部材６３の外側の管状容器６２の開口６２ａに採血針若しくはシリンジ等を刺通させることができる。
【０１０２】
筒状部材６３は、血液を血球と血漿または血清とに分離するための血液分離材６６を内部に有する。血液分離材６６の外周側面は、筒状部材６３の内周側面と当接されている。血液分離材６６は、上述した血液分離材６と形状が異なること以外は同様に構成されている。
【０１０３】
筒状部材６３は、血液分離材６６の下流に、複数の孔６７ａが形成された円形の平面形状の流路閉塞部材６７を有する。流路閉塞部材６７の上面は、血液分離材６６の下面と当接されている。流路閉塞部材６７は、上述した流路閉塞部材２５と形状が異なること以外は同様に構成されている。
【０１０４】
筒状部材６３は、流路閉塞部材６７の下流に多数の孔６８ａが形成された血球停止膜６８を有する。血球停止膜６８の上面は、流路閉塞部材６７の下面と当接されている。血球停止膜６８は、上述した血球停止膜７と形状が異なること以外は同様に構成されている。血球停止膜６８は、血液分離材６６と流路閉塞部材６７との間に配置されていてもよい。
【０１０５】
本実施形態では、上記のように、筒状部材６３の第２の開口６３ｂが底部５２ｂと一定間隔を隔てられている。そして、真空検体採取器具６１は、筒状部材６３の外周側面と、管状容器６２の内周側面との間隔が隔てられた領域を有する。よって、筒状部材６３の外側において、管状容器６２の開口６２ａから底部６２ｂに収容された血漿または血清を取り出すことができる。
【０１０６】
すなわち、管状容器６２の開口６２ａおよび筒状部材６３の第１の開口６３ａから、栓体６４を取外した後、筒状部材６３の外側において、管状容器６２の開口６２ａから底部６２ｂに収容された血漿または血清を取り出すことができる。また、筒状部材６３の外側の管状容器６２の開口６２ａに対応する位置において、例えば栓体６４に中空針若しくはシリンジ等を刺通させて、分離された血漿または血清を取り出すことができる。また、上述した真空検体採取器具１と比較し、真空検体採取器具６１は手指で容易に把持することもできる。
【図面の簡単な説明】
【０１０７】
【図１】（ａ），（ｂ）は、第１の発明の一実施形態に係る真空検体採取器具を示す斜視図および正面断面図。
【図２】（ａ），（ｂ）は、第１の発明の他の実施形態に係る真空検体採取器具を示す斜視図および正面断面図。
【図３】（ａ），（ｂ）は、第２の発明の一実施形態に係る真空検体採取器具を示す斜視図および正面断面図。
【図４】（ａ），（ｂ）は、第３の発明の一実施形態に係る真空検体採取器具を示す斜視図および正面断面図。
【図５】従来の血液検査用容器を模式的に示す正面断面図。
【符号の説明】
【０１０８】
１…真空検体採取器具
２，３…第１，第２の管状容器
２ａ，３ａ…開口
２ｂ，３ｂ…底部
４，５…第１，第２の栓体
４ａ，５ａ…大径部
４ｂ，５ｂ…小径部
６…血液分離材
７…血球停止膜
７ａ…孔
８…流路形成部材
８ａ…流路
９…補強部材
２１…真空検体採取器具
２２，２３…第１，第２の管状容器
２２ａ，２３ａ…開口
２２ｂ，２３ｂ…丸底
２４…血液分離材
２５…流路閉塞部材
２５ａ…孔
２６…血球停止膜
２６ａ…孔
２７…流路形成部材
２７ａ…流路
２８…第３の管状容器
２８ａ…開口
２８ｂ…丸底
２９…栓体
２９ａ…大径部
２９ｂ…小径部
２９ｃ，２９ｄ…凸部
２９ｅ…上表面
３０…カバー
４１…真空検体採取器具
４２…管状容器
４３…仕切り壁
４４…栓体
４４ａ…本体部
４４ｂ，４４ｃ…凸部
４５…カバー
４６…血液分離材
４７…流路閉塞部材
４７ａ…孔
４８…血球停止膜
４８ａ…孔
４９…壁穴
４９ａ…流路
６１…真空検体採取器具
６２…管状容器
６２ａ…開口
６２ｂ…丸底
６３…筒状部材
６３ａ，６３ｂ…第１，第２の開口
６４…栓体
６４ａ…大径部
６４ｂ…小径部
６４ｃ…凸部
６４ｄ…凹部
６５…カバー
６６…血液分離材
６７…流路閉塞部材
６７ａ…孔
６８…血球停止膜
６８ａ…孔
Ａ１，Ａ２…第１，第２の内部空間
Ｂ…内部空間
Ｃ１〜Ｃ３…第１〜第３の内部空間
【図１】
2007000537.tif 000003
【図２】
2007000537.tif 000004
【図３】
2007000537.tif 000005
【図４】
2007000537.tif 000006
【図５】
2007000537.tif 000007